(57)【特許請求の範囲】
【請求項１】
所定の極数以外の極数のモジュラープラグの挿着を防止する誤挿着防止機構を備えたモジュラージャックであって、
前記誤挿着防止機構は、弾性部と、該弾性部の前端部に形成された当接部と、前記弾性部の後端部に形成された固定部とを備え、前記弾性部と前記当接部と前記固定部は金属板を折曲げ加工して一体成形されており、前記当接部は、傾斜面を有するカム部と、該カム部より内側且つ後端側に形成されたストッパー部とから成り、
前記所定の極数のモジュラープラグを挿入すると、該モジュラープラグの先端部が前記カム部の傾斜面に当接し、前記当接部が外側に移動することにより、前記モジュラープラグの挿着を許容し、
前記所定の極数より少ない極数のモジュラープラグを挿入すると、該モジュラープラグの先端部が前記ストッパー部に当接し、前記モジュラープラグの挿着を防止するように構成されており、
前記モジュラージャックのハウジングの外面の両側部分にはそれぞれ前記モジュラープラグの挿入方向に溝が形成されており、
前記弾性部は、前記溝の底面に沿って且つ該溝の底面から離れる方向に弾性変形可能な状態で設けられており、
前記固定部は、前記ハウジングに圧入固定されており、
前記当接部は、前記溝の前端部に設けられ且つ前記モジュラープラグを挿入する部分に連通した、孔に遊嵌されており、
前記当接部の前記ストッパー部は、前記孔の後端面に沿って且つ該後端面から離れる方向に弾性変形可能な状態で設けられていることを特徴とするモジュラージャック。
【請求項２】
前記弾性部は、前記モジュラージャックのハウジングの外面に沿って設けられている請求項１に記載のモジュラージャック。
【請求項３】
前記モジュラージャックのハウジングに前記当接部が遊嵌可能な孔を設け、前記当接部は前記孔の後端面に沿って移動可能となっている請求項１又は２に記載のモジュラージャック。
【請求項４】
前記モジュラージャックのハウジングの外面にシールド板を設け、前記誤挿着防止機構は、前記シールド板から延出されている請求項１から３のいずれか１の請求項に記載のモジュラージャック。
【発明の詳細な説明】
【０００１】
【発明の属する技術分野】
本発明は、モジュラープラグが挿着されるモジュラージャックに関し、特に、所定の極数以外の極数のモジュラープラグの挿着を防止する誤挿着防止機構を備えたモジュラージャックに関する。
【０００２】
【従来の技術】
一般に、電話設備やＬＡＮ（ローカルエリアネットワーク）において使用されるコネクタ部材として、モジュラージャックとモジュラープラグがよく知られており、このようなモジュラージャック及びモジュラープラグには、設置される端子数の違いから、６極用のタイプ、又は８極用のタイプ等がある。ところが、いずれのタイプも各端子の取付ピッチが同一であるため、例えば、８極モジュラージャックに誤って６極モジュラープラグを挿着するおそれがあり、この場合には、電気的トラブルを発生させる危険性があった。そのため、従来から、特公平６−３７５０号公報に開示されているような、異極プラグの挿着を防止するための機構を備えたモジュラージャックが案出されている。
【０００３】
図１４〜１８は、その特開平２−２５８４３５号公報に開示された８極モジュラージャック１を示しており、該８極モジュラージャック１には、図１９に示すような８極モジュラープラグ２が挿着される。
【０００４】
前記モジュラージャック１は、図１４及び１５によく示されているように、ハウジング３と、該ハウジング３内に突出するように並列に配設された８個の端子４と、前記ハウジング３の上部に設けられた誤挿着防止機構５とで概略構成されている。
【０００５】
前記ハウジング３には前面側から凹部６が形成されており、該凹部６の高さは中央部分７が両側部分８より高くなっている。また、前記ハウジング３の天板９には孔１０が穿設され、該孔１０は前記凹部６の中央部分７に沿って形成された幹部１１と、該幹部１１の前端部から両側に延びる枝部１２とを有している。さらに、前記凹部６の両側部分８上方の前記ハウジング３には、鉛直方向にガイド溝１３が形成されている。
【０００６】
前記誤挿着防止機構５は、図１５から１８によく示されているように、後端部１４が前記ハウジング３に片持ち梁状に支持され、前記幹部１１に遊嵌可能に設けられた板バネ１５と、該板バネ１５の前端部１６に固定され、前記枝部１２に遊嵌可能に設けられたストッパー付カム１７とで構成されている。前記ストッパー付カム１７は、中央部分が前記板バネ１５の前端部１６の下面側に固着され、左右側方に延設された腕部１８と、該腕部１８の両端部から下方に延びるストッパー部１９と、該各ストッパー部１９の外側に形成されたカム部２０とから構成されている。そして、前記ストッパー付カム１７は、前記板バネ１５が前記孔１０内で弾性変形することにより、前記後端部１４を支点として前記ガイド溝１３に沿って上下方向に移動可能となっている。また、前記カム部２０の前端部２１は、前記ストッパー部１９より前方に突出し、その前端面２２は前方下側に面するように傾斜している。さらに、前記ストッパー付カム１７は、前記カム部２０の外側面間の距離（図１７中のＷ１）が前記８極モジュラープラグ２の幅寸法にほぼ等しく、且つ、前記カム部２０の内側面間の距離（図１７中のＷ２）が、図２０に示すような６極モジュラープラグ２'の幅寸法より僅かに大きくなるように形成されている。
【０００７】
また、前記モジュラープラグ２，２'の各先端部２３，２３'には、それぞれ図１９又は２０に示されているように、８個（図１９）又は６個（図２０）の端子２４，２４'と、該端子２４，２４'の上方で基端側斜め上方に延出するロック部２５，２５'とが設けられ、該ロック部２５，２５'の左右両側には、それぞれ垂直端面２６，２６'が形成されている。
【０００８】
このような構成において、前記８極モジュラージャック１に前記８極モジュラープラグ２を挿入すると、該モジュラープラグ２の先端部２３の角部２７は前記カム部２０の前端面２２に当接する。該前端面２２は前方下側に面するように傾斜しているので、前記角部２７は前記前端面２２に沿って摺動し、前記カム部２０には上方に押圧力が作用する。これにより、前記板バネ１５が弾性変形すると共に前記ストッパー付カム１７が前記ガイド溝１３に沿って押し上げられ、前記８極モジュラープラグ２は前記８極モジュラージャック１に挿着可能となる。
【０００９】
一方、前記８極モジュラージャック１に前記６極モジュラープラグ２’を挿入すると、該モジュラープラグ２’の垂直端面２６’が前記ストッパー部１９の前端面２８に当接し、前記モジュラープラグ２’のさらなる進入が阻止されるので、前記６極モジュラープラグ２’が前記８極モジュラージャック１に挿着されることはない。
【００１０】
【発明が解決しようとする課題】
ところが、上記した従来のモジュラージャックでは、前記ストッパー付カム１７の板バネ１５が前記凹部６の最も高い中央部分７のさらに上方に設けられており、また、前記ストッパー部１９が前記板バネ１５の下面側に設けられた前記腕部１８のさらに下方に延出して形成されているため、高さ方向の寸法が嵩み、小型化が図り難いといった問題があった。
【００１１】
また、前記板バネ１５とストッパー付カム１７とが別個に設けられているため、部品点数及び製造コストの低減化を図るのが困難であった。
【００１２】
さらに、前記誤挿着防止機構５は前記孔１０に遊嵌し、前記板バネ１５が自由に撓曲可能となっているため、該板バネ１５に外力が作用した場合には、該板バネ１５が弾性限界を超えて過度に撓み、破損等するおそれがあるといった問題もあった。
【００１３】
本発明は、上記課題を解決すべくなされたものであり、小型化、製造コストの低減化、破損等の防止を図ることのできるモジュラージャックを提供するものである。
【００１４】
【課題を解決するための手段】
本発明は、所定の極数以外の極数のモジュラープラグの挿着を防止する誤挿着防止機構を備えたモジュラージャックであって、前記誤挿着防止機構は、弾性部と、該弾性部の前端部に形成された当接部と、前記弾性部の後端部に形成された固定部とを備え、前記弾性部と前記当接部と前記固定部は金属板を折曲げ加工して一体成形されており、前記当接部は、傾斜面を有するカム部と、該カム部より内側且つ後端側に形成されたストッパー部とから成り、前記所定の極数のモジュラープラグを挿入すると、該モジュラープラグの先端部が前記カム部の傾斜面に当接し、前記当接部が外側に移動することにより、前記モジュラープラグの挿着を許容し、前記所定の極数より少ない極数のモジュラープラグを挿入すると、該モジュラープラグの先端部が前記ストッパー部に当接し、前記モジュラープラグの挿着を防止するように構成されており、前記モジュラージャックのハウジングの外面の両側部分にはそれぞれ前記モジュラープラグの挿入方向に溝が形成されており、前記弾性部は、前記溝の底面に沿って且つ該溝の底面から離れる方向に弾性変形可能な状態で設けられており、前記固定部は、前記ハウジングに圧入固定されており、前記当接部は、前記溝の前端部に設けられ且つ前記モジュラープラグを挿入する部分に連通した、孔に遊嵌されており、前記当接部の前記ストッパー部は、前記孔の後端面に沿って且つ該後端面から離れる方向に弾性変形可能な状態で設けられていることを特徴とする。
【００１６】
また、前記弾性部は、前記モジュラージャックのハウジングの外面に沿って設けられている。
【００１８】
さらにまた、前記モジュラージャックのハウジングに前記当接部が遊嵌可能な孔を設け、前記当接部は前記孔の後端面に沿って移動可能となっている。
【００１９】
また、前記モジュラージャックのハウジングの外面にシールド板を設け、前記誤挿着防止機構は、前記シールド板から延出されている。
【００２０】
このような構成において、前記モジュラージャックに所定の極数のモジュラープラグを挿入すると、該モジュラープラグの先端部は、前記カム部の傾斜面に当接し、前記当接部が押し上げられ、前記モジュラープラグは前記モジュラージャックに挿着可能となる。
【００２１】
一方、前記モジュラージャックに所定の極数より少ない極数のモジュラープラグを挿入すると、該モジュラープラグが前記ストッパー部に当接し、前記モジュラープラグのさらなる進入が阻止されるので、前記所定の極数より少ない極数のモジュラープラグが前記モジュラージャックに挿着されることはない。
【００２２】
【発明の実施の形態】
以下、図面を参照しつつ、本発明の実施の形態を説明する。
【００２３】
図１〜図６は、本発明の実施の形態に係るモジュラージャックの一例として８極モジュラージャック３１を示しており、該モジュラージャック３１は、絶縁体製で箱状に成形されたハウジング３２と、該ハウジング３２内に設けられた８個の端子３３と、前記ハウジング３２の上部に設けられた誤挿着防止機構３４とから概略構成され、前記端子３３にはケーブル５９が接続されている。
【００２４】
前記ハウジング３２には前面側から凹部３５が形成され、該凹部３５の高さは中央部分３６が両側部分３７より高くなっている。また、前記ハウジング３２の天板５８の両側部分にはそれぞれ前後方向に溝３８が形成され、該溝３８の前端部には前記凹部３５の両側部分３７に連通するように孔３９が穿設されている。
【００２５】
前記誤挿着防止機構３４は、金属板を折曲加工して形成され、前記溝３８の後端部に垂直に圧入される固定部４０と、前記溝３８の底面４１に沿って設けられる弾性部４２と、該弾性部４２の前端部に形成され、前記孔３９に遊嵌可能な当接部４３とから構成されている。該当接部４３は、内側のストッパー部４４と、外側のカム部４５とに分割され、前記ストッパー部４４は前記孔３９の後端面４６に沿って下方に折曲されている。また、前記カム部４５は前記後端面４６に沿って下方に折曲された後、さらに上方に折曲され、前方下側に面するように傾斜面４７が形成され、該傾斜面４７は前記ストッパー部４４より前方に突出している。さらに、前記当接部４３は、前記カム部４５の外側間の距離（図１中のＷ１）が、図１９に示されている８極モジュラープラグ２の幅寸法にほぼ等しく、且つ、前記カム部４５の内側間の距離（図１中のＷ２）が、図２０に示されている６極モジュラープラグ２'の幅寸法より僅かに大きくなるように形成されている。
【００２６】
次に、図７及び８により、前記８極モジュラージャック３１の作用を説明する。
【００２７】
図７（ａ）に示すように、前記８極モジュラージャック３１に８極モジュラープラグ２を挿入すると、該モジュラープラグ２の先端部２３の角部２７は、図７（ｂ）に示すように、前記カム部４５の傾斜面４７に当接する。該傾斜面４７は前方下側に面するように傾斜しているので、前記角部２７は前記傾斜面４７に沿って摺動し、前記カム部４５には上方に押圧力が作用する。これにより、図７（ｃ）に示すように、前記弾性部４２が弾性変形すると共に前記当接部４３が前記孔３９の後端面４６に沿って押し上げられ、前記８極モジュラープラグ２は前記８極モジュラージャック３１に挿着され、前記モジュラープラグ２側の各端子（図示せず）は前記モジュラージャック３１側の各端子３３と電気的に接触する。
【００２８】
一方、図８（ａ）に示すように、前記８極モジュラージャック３１に前記６極モジュラープラグ２’を挿入すると、図８（ｂ）に示すように、該モジュラープラグ２’の垂直端面２６’が前記ストッパー部４４に当接する。これにより、前記モジュラープラグ２’のさらなる進入が阻止されるので、前記６極モジュラープラグ２’が前記８極モジュラージャック３１に挿着されることはなく、前記モジュラープラグ２側の各端子（図示せず）は前記モジュラージャック３１側の各端子３３と電気的に接触しない。
【００２９】
なお、誤挿着防止機構３４は上記した形状及び材質に限定されるものではなく、例えば、図９に示すように、水平金属板４８の前端面４９をストッパー部５０として利用すると共に鉛直金属板５１の前端に傾斜面５２を形成させてカム部５３としてもよく、また、図１０に示すように、前端部を下方に折曲し、傾斜面５４を形成させてカム部５５を形成させてもよい。さらに、誤挿着防止機構は、図１１に示すように、前記ハウジング３２を切欠し、該ハウジング３２と一体に形成させてもよく、さらにまた、図１２に示すように、弾性部５６と当接部５７とを別個に設け、弾性部５６を金属板製とし、当接部５７を樹脂製としてもよい。また、前記傾斜面４７，５２，５４は必ずしも平面である必要はなく、例えば、湾曲状を成していてもよい。
【００３０】
また、図１３に示すように、前記ハウジング３２の外面にシールド板６０を設け、前記誤挿着防止機構３４を前記シールド板６０から延出させ、該シールド板６０と一体的に形成してもよく、或いは、前記誤挿着防止機構３４を前記シールド板６０とは別体に設け、該シールド板６０に固定してもよい。
【００３１】
さらに、前記ストッパー部４４の内側間の距離（図１中のＷ３）を、４極モジュラープラグ（図示せず）の幅寸法より大きくすれば、前記８極モジュラージャック３１への４極モジュラープラグの挿着を防止することもできる。
【００３２】
さらに、本発明は、８極モジュラージャック３１での使用に限定されるものではなく、６極等他の極数用のモジュラージャックについても実施可能であることは言う迄もない。
【００３３】
さらにまた、誤挿着防止機構の当接部は、前記８極モジュラープラグ２が前記８極モジュラージャック３１に挿入された時に、上方ではなく、側方外側へ移動するように構成してもよい。
【００３４】
【発明の効果】
以上述べた如く本発明によれば、当接部が弾性部の前端部に形成されているため、高さ方向の寸法を短縮化でき、小型化を図ることができる。また、別の効果として、弾性部がハウジングの天板の両側部分に沿って設けられている場合には、凹部の両側部分の上方部分を利用して当接部を設けることができるため、高さ方向の寸法をさらに短縮させることができる。
【００３５】
さらに、別の効果として、弾性部と当接部が一体成形されている場合には、部品点数及び製造コストの低減化が可能となる。また、別の効果として、弾性部がハウジングの外面に沿って設けられている場合には、外側から弾性部に力が作用したとしても、その下方への撓みを規制することができるので、弾性部が弾性限界を超えて過度に撓み、破損等することがなく、誤挿着防止機構の耐久性を向上させることが可能となる。さらにまた、別の効果として、前記モジュラジャックのハウジングに前記当接部が遊嵌可能な孔を設け、前記当接部が前記孔の後端面に沿って移動可能となっている場合には、前記誤挿着防止機構の動作の円滑化が図れ、また、モジュラープラグを抉ったり、強く押し込んでも、前記誤挿着防止機構３４を円滑に動作させることができる等種々の優れた効果を得ることができる。
【図面の簡単な説明】
【図１】  本発明の実施の形態を示す正面図である。
【図２】  本発明の実施の形態を示す平面図である。
【図３】  図１のＡ−Ａ断面図である。
【図４】  本発明の実施の形態における誤挿着防止機構を示す側面図である。
【図５】  本発明の実施の形態における誤挿着防止機構を示す平面図である。
【図６】  本発明の実施の形態における誤挿着防止機構を示す正面図である。
【図７】  （ａ）は、８極モジュラープラグを８極モジュラージャックに挿入しようとしている状態を示し、（ｂ）は、８極モジュラープラグの先端部が誤挿着防止機構の当接部に当接している状態を示し、（ｃ）は、８極モジュラープラグを８極モジュラージャックに挿着した状態を示している。
【図８】  （ａ）は、６極モジュラープラグを８極モジュラージャックに挿入しようとしている状態を示し、（ｂ）は、６極モジュラープラグの先端部が誤挿着防止機構のストッパー部４４に当接している状態を示している。
【図９】  本発明の実施の形態における誤挿着防止機構の別の例を示す斜視図である。
【図１０】  本発明の実施の形態における誤挿着防止機構の別の例を示す斜視図である。
【図１１】  本発明の実施の形態における誤挿着防止機構の別の例を示す斜視図である。
【図１２】  本発明の実施の形態における誤挿着防止機構の別の例を示す斜視図である。
【図１３】  本発明の実施の形態における誤挿着防止機構のさらに別の例を示す断面図である。
【図１４】  従来例を示す斜視図である。
【図１５】  従来例を示す断面図である。
【図１６】  従来例における誤挿着防止機構を示す斜視図である。
【図１７】  従来例における誤挿着防止機構を示す正面図である。
【図１８】  従来例における誤挿着防止機構を示す側面図である。
【図１９】  ８極モジュラープラグを示す斜視図である。
【図２０】  ６極モジュラープラグを示す斜視図である。
【符号の説明】
２    ８極モジュラープラグ
２'    ６極モジュラープラグ
３１  モジュラージャック
３２  ハウジング
３３  端子
３４  誤挿着防止機構
４２  弾性部
４３  当接部
４４  ストッパー部
４５  カム部
４６  後端面
【図１】
0003756777.tif 000002
【図２】
0003756777.tif 000003
【図３】
0003756777.tif 000004
【図４】
0003756777.tif 000005
【図５】
0003756777.tif 000006
【図６】
0003756777.tif 000007
【図７】
0003756777.tif 000008
【図８】
0003756777.tif 000009
【図９】
0003756777.tif 000010
【図１０】
0003756777.tif 000011
【図１１】
0003756777.tif 000012
【図１２】
0003756777.tif 000013
【図１３】
0003756777.tif 000014
【図１４】
0003756777.tif 000015
【図１５】
0003756777.tif 000016
【図１６】
0003756777.tif 000017
【図１７】
0003756777.tif 000018
【図１８】
0003756777.tif 000019
【図１９】
0003756777.tif 000020
【図２０】
0003756777.tif 000021